(57)【要約】【課題】会議で共有された資料の機密レベルに基づき、会議を継続した状態で制限を行う仕組みを提供すること【解決するための手段】会議で用いるファイルの画像を共有することが可能な会議システムであって、表示するファイルの機密レベルを特定する特定手段と、前記特定手段で特定された機密レベルに基づき、前記会議システムにおける会議に参加するユーザの端末における制限情報を決定する決定手段と、前記ユーザの端末における会議を継続した状態で、前記決定手段により決定された制限情報を用いて、前記ユーザの端末における会議に用いる機能を制限する制御手段とを備えることを特徴とする。【選択図】図３
2018107645.tif 000002
【特許請求の範囲】
【請求項１】
会議で用いるファイルの画像を共有することが可能な会議システムであって、
表示するファイルの機密レベルを特定する特定手段と、
前記特定手段で特定された機密レベルに基づき、前記会議システムにおける会議に参加するユーザの端末における制限情報を決定する決定手段と、
前記ユーザの端末における会議を継続した状態で、前記決定手段により決定された制限情報を用いて、前記ユーザの端末における会議に用いる機能を制限する制御手段と
を備えることを特徴とする会議システム。
【請求項２】
前記制御手段は、前記ファイルの表示を終了する場合に、制限した機能を解除することを特徴とする請求項１に記載の会議システム。
【請求項３】
前記決定手段で決定された制限情報を議長となるユーザの端末に通知する通知手段と、
前記議長となるユーザの端末から前記制限情報を変更させる変更手段と、
前記変更手段により変更された制限情報を用いて、制限する前記ユーザの端末への制限命令を生成する生成手段と
を更に備えることを特徴とする請求項１又は２に記載の会議システム。
【請求項４】
前記制御手段により機能を制限されているユーザを識別可能にすべく、会議への参加ユーザの一覧画面で制限表示させる一覧表示制御手段
を更に備えることを特徴とする請求項１乃至３のいずれか１項に記載の会議システム。
【請求項５】
前記制御手段は、ファイルの画像を表示する領域に制限用の画像を表示して制限することを特徴とする請求項１乃至４のいずれか１項に記載の会議システム。
【請求項６】
会議で用いるファイルの画像を共有することが可能な会議システムの処理方法であって、
表示するファイルの機密レベルを特定する特定ステップと、
前記特定ステップで特定された機密レベルに基づき、前記会議システムにおける会議に参加するユーザの端末における制限情報を決定する決定ステップと、
前記ユーザの端末における会議を継続した状態で、前記決定ステップにより決定された制限情報を用いて、前記ユーザの端末における会議に用いる機能を制限する制御ステップと
を含むことを特徴とする処理方法。
【請求項７】
会議で用いるファイルの画像を共有することが可能な会議システムのプログラムであって、
前記会議システムを、
表示するファイルの機密レベルを特定する特定手段と、
前記特定手段で特定された機密レベルに基づき、前記会議システムにおける会議に参加するユーザの端末における制限情報を決定する決定手段と、
前記ユーザの端末における会議を継続した状態で、前記決定手段により決定された制限情報を用いて、前記ユーザの端末における会議に用いる機能を制限する制御手段
として機能させることを特徴とするプログラム。
【発明の詳細な説明】
【技術分野】
【０００１】
会議を制限する会議システムとその処理方法及びプログラムに関する。
【背景技術】
【０００２】
一般的には、ビジネスで用いる資料については閲覧可能なユーザが制限されており、ビデオ会議システムでも資料共有の際に制限することがある。
例えば、特許文献１には、ユーザの会議の参加履歴と、資料と会議の関連情報から参加者可能なユーザを抽出する会議支援プログラムについて開示されている。
【先行技術文献】
【特許文献】
【０００３】
【特許文献１】特開２００７−１４０９３４号公報
【発明の開示】
【発明が解決しようとする課題】
【０００４】
特許文献１には、共有する資料をキーとして入室制限を行うことができるが、会議中に新しい資料が共有された場合に対応できないという課題がある。
【０００５】
ビデオ会議システムでは、会議中にファイルをアップロードして会議を行うことができるため、従来技術では、ファイルをアップロードする前に、閲覧できないユーザを特定して、退室させる必要がある。
【０００６】
この場合、会議中に一度ユーザが退室操作を行わなければならず、会議システムにおける会議の進行に手間が生じる。そして、閲覧制限のある資料の共有が終了した場合には、一度退室していることから、電話やメール等でユーザに連絡をして、再度入室してもらう必要があり会議システムにおける会議の進行で更に問題となる。
そのため、会議に参加した状態を維持したまま閲覧を制限することが望まれる。
【０００７】
そこで、本発明の目的は、会議で共有された資料の機密レベルに基づき、会議を継続した状態で制限を行う仕組みを提供することである。
【課題を解決するための手段】
【０００８】
会議で用いるファイルの画像を共有することが可能な会議システムであって、表示するファイルの機密レベルを特定する特定手段と、前記特定手段で特定された機密レベルに基づき、前記会議システムにおける会議に参加するユーザの端末における制限情報を決定する決定手段と、前記ユーザの端末における会議を継続した状態で、前記決定手段により決定された制限情報を用いて、前記ユーザの端末における会議に用いる機能を制限する制御手段とを備えることを特徴とする。
【発明の効果】
【０００９】
本発明によれば、会議で共有された資料の機密レベルに基づき、会議を継続した状態で制限を行うことができる。
【図面の簡単な説明】
【００１０】
【図１】本実施形態における、会議システムのシステム構成の一例を示す図である。
【図２】本実施形態における、クライアント端末またはサーバのハードウェア構成の一例を示すブロック図である。
【図３】本実施形態における、会議システムの機能構成の一例を示す図である。
【図４】本実施形態における、会議開始処理の一例を示すフローチャートである。
【図５】本実施形態における、アップロード時の制限処理の一例を示すフローチャートである。
【図６】本実施形態における、制限ユーザの制限処理の一例を示すフローチャートである。
【図７】本実施形態における、サーバのメモリ上に格納しているユーザの制限状態を登録する管理情報の一例を示す図である。
【図８】本実施形態における、サーバの記憶部に保存されているユーザテーブルの一例を示す図である。
【図９】本実施形態における、サーバの記憶部に保存されている制限テーブルの一例を示す図である。
【図１０】本実施形態における、入室時の画面、アップロード画面の一例を示すイメージ図である。
【図１１】本実施形態における、議長端末の通知画面の一例を示すイメージ図である。
【図１２】本実施形態における、議長端末の制限設定画面の一例を示すイメージ図である。
【図１３】本実施形態における、制限中の各端末での画像表示画面の一例を示すイメージ図である。
【図１４】本実施形態における、クライアント端末での参加ユーザの一覧画面の一例を示すイメージ図である。
【発明を実施するための形態】
【００１１】
以下、図面を参照して本発明の実施形態を詳細に説明する。図１は、本発明の実施形態における、会議システムの構成の一例を示す図である。
【００１２】
図１に示す通り、本発明の会議システムは、サーバ２００と、ＰＣ１００（ＰＣ１００Ａ、ＰＣ１００Ｂ／以下、総称としてＰＣ１００と記載）、携帯端末１５０とが、ネットワーク１０１を介して通信可能に接続され、構成されている。以下、ＰＣ１００と携帯端末１５０を総称して、クライアント端末と記載する。
【００１３】
サーバ２００は、クライアント端末を用いたウェブ会議を実行するための各種機能を備えている。例えば、ウェブ会議用のルーム（仮想の会議室）の作成・記憶を行う。例えば、図７の管理情報における会議室（会議室Ａ、会議室Ｂ・・・）の一覧を、外部メモリに予め記憶しておく。
【００１４】
また、サーバ２００は、クライアント端末の識別情報と各クライアント端末から、例えば、会議参加者であるユーザを撮像した画像データである会議画像（カメラ画像／映像）を受信する。そして当該会議画像と各クライアント端末の識別情報を対応付けて記憶する。
【００１５】
また、当該クライアント端末の識別情報と、当該クライアント端末でサーバ２００にログイン中のユーザのユーザ情報（例えばユーザＩＤ）を対応付けて記憶する（図７参照）。サーバ２００は、各クライアント端末から受信した画像、音声、その他のデータを、同じ会議室に入室中の（会議に参加中の）クライアント端末に配信する。
【００１６】
ＰＣ１００は、カメラ機能を備える端末である。ユーザからの操作に応じて（例えば認証情報の入力・送信指示に応じて）サーバ２００へログインし、当該カメラが撮像して取得した映像としての画像データ（会議画像／映像／動的なデータ）を、逐次、サーバ２００を介して、同一のルームに入室中（会議に参加中）の他のＰＣ１００に送信する。ここでは、ＰＣ１００は、有線ＬＡＮを介してサーバ２００と通信を行うものとする。
【００１７】
携帯端末１５０は、カメラ機能及びタッチパネル機能（操作部）を備える携帯型の端末である（タブレット、スマートフォン等）。ＰＣ１００と同じく、ユーザからの操作に応じて（例えば認証情報の入力・送信指示に応じて）サーバ２００へログインし、当該カメラが撮像して取得した映像としての画像データ（会議画像／映像／動的なデータ）を、逐次、サーバ２００を介して、同一のルームに入室中（会議に参加中）の他のＰＣ１００に送信する。ここでは、携帯端末１５０は、無線ＬＡＮまたは公共の通信回線と通信方法（３Ｇ、４Ｇ等）を介してサーバ２００と通信を行うものとする。
【００１８】
また、各クライアント端末は、カメラから取得した画像データの他に、当該クライアント端末に記憶されているデータ、例えば写真画像や、ＰＤＦファイル等の文書データ等の静的なデータを、サーバ２００を介して他のクライアント端末に送信して共有するデータ共有機能を備える。
【００１９】
当該静的なデータを他のクライアント端末に送信する場合、例えば、全てのクライアント端末は当該静的なデータを表示画面に表示する制御を行う。データ共有機能では、複数のクライアント端末間で共有中のデータは、通常時、当該複数のクライアント端末において同じ状態のデータ（共有画像）が表示される。例えば、ＰＣ１００Ａにおいて共有画像が拡大された場合、他の端末（ＰＣ１００Ｂ、携帯端末１５０）において表示中の共有画像も同じ拡大位置・拡大率で拡大処理がされることとなる。
また、会議中にファイルがアップロードされた場合（ファイルアップロード時）には、資料に応じて表示を制御する。
【００２０】
全ての端末からの当該表示中の共有画像（例えば文書データの画像）に対する操作・編集を有効にしてしまうと、操作（各操作に応じた処理（表示制御））が競合してしまう可能性があるため、ここでは、データ共有を開始したＰＣ１００Ａ（ファイルをアップロードした端末）をホストとして、当該ホスト端末のみが、当該共有中のデータに対する編集を行えるよう制御する。操作の競合の一例として、複数の端末から同時に拡大操作、及び縮小操作がされた場合があげられる。
【００２１】
各クライアント端末は、ユーザ情報（ユーザＩＤ、パスワード）の入力を受け付けることでサーバ２００にアクセスする。アクセス（ログイン）直後は、例えば会議選択画面（不図示）を表示するものとする。そして、会議室に入室して会議を実行する。入室後の会議画面の一例は図１０の１０００である。
【００２２】
なお、ウェブ会議を実行するためのクライアントアプリケーションがクライアント端末にインストールされ、サーバ２００と通信して、クライアント端末の使用機器を制御することが可能となっている。以上が図１の説明である。
【００２３】
次に図２を参照して、本発明の実施形態における、各種装置のハードウェア構成の一例について説明する。図２は、本発明の実施形態における、各種装置のハードウェア構成の一例を示す図である。
【００２４】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２５】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２６】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２７】
また、本発明の実施形態において、ＰＣ１００のＣＲＴ２１０は、タッチパネル機能を有するものとする。ＣＲＴ２１０がタッチパネル機能を有する場合、当該ＣＲＴ２１０は入力装置としても機能し、入力コントローラにタッチパネル機能で検出した（ディスプレイで受け付けた）タッチ操作の情報を入力情報として伝達するものとする。つまり、入力コントローラ２０５は、ＣＲＴ２１０からの入力制御を行う。
【００２８】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２９】
２０８は通信Ｉ／Ｆコントローラで、ネットワーク（例えば、図１に示したネットワーク１０１）を介して外部機器と接続・通信するものであり、ネットワークでの通信制御処理を実行する。例えば、ＴＣＰ／ＩＰを用いた通信等が可能である。
また、本実施形態のクライアント端末には、カメラ、スピーカーなどの付属の機器も備えていることは言うまでもない。
【００３０】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。以上が図２の、本発明の実施形態における、各種装置のハードウェア構成の一例についての説明である。
【００３２】
次に図３を参照して、本発明の実施形態における、会議システムの機能構成の一例について説明する。会議システムはクライアント端末とサーバを含むものである。会議システムは、特定部３１１、決定部３１２、制御部３１３、通知部３１４、変更部３１５、生成部３１６、一覧表示制御部３１７を備え、ＣＰＵにより実行される。
まず、本実施形態の会議システムは、会議で用いるファイルの画像を共有することが可能な会議システムである。
特定部３１１は、表示するファイルの機密レベルを特定する機能部である。
【００３３】
決定部３１２は、特定部３１１で特定された機密レベルに基づき、前記会議システムにおける会議に参加するユーザの端末における制限情報を決定する機能部である。
【００３４】
制御部３１３は、前記ユーザの端末における会議を継続した状態で、決定部３１２により決定された制限情報を用いて、前記ユーザの端末における会議に用いる機能を制限する機能部である。
また、制御部３１３は、前記ファイルの表示を終了する場合に、制限した機能を解除する機能部である。
通知部３１４は、決定部３１２で決定された制限情報を議長となるユーザの端末に通知する機能部である。
変更部３１５は、議長となるユーザの端末から制限情報を変更させる機能部である。
生成部３１６は、変更部３１５により変更された制限情報を用いて、制限する前記ユーザの端末への制限命令を生成する機能部である。
【００３５】
一覧表示制御部３１７は、制御部３１３により機能を制限されているユーザを識別可能にすべく、会議への参加ユーザの一覧画面で制限表示させる機能部である。
また、制御部３１３は、ファイルの画像を表示する領域に制限用の画像を表示して制限する機能部である。
【００３６】
次に、本実施形態のシステムにおける基本処理について図４、図５、図６のフローチャートを用いて説明する。各フローチャートに示す処理は、各装置のＣＰＵが各装置の機能部の機能を用いて実行するものとする。また、クライアント端末とサーバとの通信は、クライアント端末の通信Ｉ／Ｆ２０８とサーバの通信Ｉ／Ｆ２０８で通信制御される。
【００３７】
まず、図４を参照して、本実施形態における、会議開始処理の流れについて説明する。まず、会議システムにユーザがログインしているものとして説明する。
【００３８】
ステップＳ４０１では、サーバ２００に予め記憶されている会議室の一覧で指定された会議室（例えば、会議室Ａ）への入室要求を送信する。
ステップＳ４０２では、入室要求を受信する。
【００３９】
ステップＳ４０３では、入室要求を受信すると、図７の７０１のように、ユーザＩＤ、端末識別情報（ログイン時のセッション）、使用機器情報等の管理情報が登録（更新）される。なお、会議室に登録されている入室許可情報（入室許可できるユーザ情報等）に従って、入室可能なユーザか否かを判定して、管理情報を登録してもよい。
【００４０】
この管理情報を用いて、会議室への入室ユーザ、端末を管理することができる。また、この管理情報で、端末で使用している使用機器の制御状態を管理することができる。
【００４１】
入室時は、すべての使用機器がＯＮになって管理されるものとするが、使用機器がない、あるいは使用機器の接続が正常に検出できない場合には、ＯＦＦとなるものとする。
【００４２】
ステップＳ４０４では、入室後、入室しているユーザの一覧画面を表示する。ユーザの一覧画面の一例が図１０の１０００である。また、各端末により入室がなされ、ステップＳ４０５へ処理を移す。なお、一覧画面は、参加人数による応じたレイアウト画面が表示される。
【００４３】
ステップＳ４０５では、サーバ２００は、クライアント端末に会議開始通知を送り、クライアント端末は会議開始通知を受け、ウェブ会議を開始する。各端末の音声や画像を各端末で共有することで、ウェブ会議が行われる。
【００４４】
なお、議長とその他の参加者で会議は構成されている。議長は会議室を登録したユーザや会議室に初めに入室したユーザ、或いは、会議室における議長ユーザを予め登録しておくようにしてもよい。
【００４５】
次に、図５を参照して、本実施形態における、アップロード時の制限処理の流れについて説明する。図４で会議中に、議長や参加者がファイルをアップロードすることで処理が開始される。
【００４６】
ステップＳ５０１では、参加者の中で、ウェブ会議において資料を閲覧させるため、資料のアップロードを実行する。資料のアップロードは、図１０のアップロード画面１０１０にてファイルを指定して、ファイルをサーバ２００に送信する。
ステップＳ５０２では、サーバ２００がファイルを受信する。ファイルをアップロードしたユーザをアップローダーと称する。
【００４７】
ステップＳ５０３では、受信したファイルの機密レベルを取得する。機密レベルの取得はファイルに含まれるテキスト（ファイル名やヘッダー）から特定して、取得する。この機密レベルと、所定の機密レベルを超える場合には、ステップＳ５０４へ処理を移す。所定の機密レベルは、ウェブ会議システムの設定や、会議室ごとに設定でき、予め決められたものとする。なお、所定の機密レベルを超えるか否かは議長となるユーザが機密レベル「高」と判定して、ステップＳ５０４へ処理を進めるようにすることも可能である。すなわち、表示するファイルの機密レベルを特定する特定処理の一例を示すものである。
また、ファイルの機密レベルが所定の機密レベルより低い場合には、ステップＳ５１４へ処理を移す。
【００４８】
ステップＳ５０４では、図８のユーザテーブルを参照し、ユーザの機密レベルを参照し、現在ウェブ会議に参加しているユーザでファイルの機密レベルより低いユーザ、すなわち閲覧制限するユーザがいるか否かを判定する。
閲覧制限するユーザがいる場合には、ステップＳ５０５へ処理を移し、閲覧制限するユーザがいない場合には、ステップＳ５１４へ処理を移す。
【００４９】
ステップＳ５０５では、閲覧制限するユーザの機密レベルを基に、図９の制限テーブルを参照して、各ユーザの制限内容を決定する。制限テーブルで、機密レベル３に対応するユーザの場合には、制限内容を「ビデオ（カメラ）：ＯＮ」「マイク：ＯＮ」「スピーカー：ＯＦＦ」「アプリ共有（資料画像表示）：ＯＦＦ」となる。なお、制限しないユーザにおいては、すべてＯＮとなる。すなわち、特定された機密レベルに基づき、会議システムにおける会議に参加するユーザの端末における制限情報を決定する決定処理の一例を示すものである。
参加者のユーザ名と、制限内容と、資料共有開始通知を議長となるクライアント端末に通知する。
ステップＳ５０６では、サーバ２００から通知を受信する。通知を受信するとクライアント端末では、図１１の通知画面を表示する。
すなわちステップＳ５０５、ステップＳ５０６は、決定された制限情報を議長となるユーザの端末に通知する通知処理の一例を示すものである。
【００５０】
図１１の通知画面では、資料の共有を制限内容で許可する許可ボタン１１０１と、制限内容を表示する制限内容表示ボタン１１０２と、資料共有を拒否（不許可）する拒否ボタン１１０３を有している。
ここで、制限内容表示ボタン１１０２が押された場合に、ステップＳ５０７へ処理を移す。
【００５１】
ステップＳ５０７では、受信した通知に含まれるユーザ名と制限内容に従って、図１２の制限設定画面を表示する。この制限設定画面で、ユーザの制限内容を変更することができる。
【００５２】
ステップＳ５０８では、図１２の制限設定画面で、制限内容の変更を受け付ける。閲覧許可１２０１（アプリ共有ＯＮに相当）、閲覧禁止１２０２（アプリ共有ＯＦＦに相当）、マイク許可１２０３、マイク禁止１２０４、スピーカー許可１２０５、スピーカー禁止１２０６、カメラ許可１２０７、カメラ禁止１２０８の押下により、ユーザの制限内容を変更する。閉じるボタン１２０９により制限設定画面が閉じられる。各ボタンの押下によって、メモリ上に記憶しているユーザの制限内容が変更される。
ステップＳ５０９では、ユーザ名と変更された制限内容を含む制限要求をサーバ２００に送信する。
【００５３】
ステップＳ５１０では、制限要求を受信する。制限要求に含まれるユーザ名と変更された制限内容に従って、管理情報を更新する。管理情報の更新した例が図７の７０２である。すなわち、ステップＳ５０８の変更により、管理情報を更新する処理は、議長となるユーザの端末から制限情報を変更させる変更処理の一例を示すものである。
【００５４】
ステップＳ５１１では、図７の７０２の管理情報に従って、制限するユーザのクライアント端末に制限命令を生成する。例えば、図７の７０２の例では、ユーザＩＤ１００４のクライアント端末に対して発行する、スピーカーＯＦＦ、アプリ共有ＯＦＦ（閲覧禁止）を含む制限命令を生成する。なお、制限命令に、ＯＮとなる使用機器の情報が含まれてもよい。すなわち、変更された制限情報を用いて、制限するユーザの端末に制限命令を生成する生成処理の一例を示すものである。
【００５５】
ステップＳ５１２では、制限命令を、制限をするユーザの端末に対して送信する。すなわち、ユーザの端末における会議を継続した状態で、決定された制限情報を用いて、ユーザの端末における会議に用いる機能を制限する制限処理の一例を示すものである。
【００５６】
ステップＳ５１３では、ウェブ会議に参加しているユーザの制限を確認できるようにするため、制限内容を参加者全員のクライアント端末に送信する。この時、参加者のクライアント端末の画面で参加者の一覧を表示した場合に、図１４の画面となる。１４０１で制限されたユーザを識別させ、１４０２で制限内容を識別させる。すなわち、機能を制限されているユーザを識別可能にすべく、会議への参加ユーザの一覧画面で制限表示させる一覧表示制御処理の一例を示すステップである。
【００５７】
ステップＳ５１４では、サーバ２００は、アップロードされたファイルを開く。開いたファイルの表示を各クライアント端末で共有するため、アプリ共有をＯＮとする。アプリ共有をＯＮにすることで、ファイルを開いたアプリ画面の画像（例えば、アプリ画面のキャプチャー画像）を取得して、各クライアント端末に送信する。
【００５８】
ステップＳ５１５では、画像を各クライアント端末（全てのクライアント端末）に送信する。なお、本実施形態では全てのクライアント端末に画像を送信し、閲覧制限されているクライアント端末で画像を閲覧しないように制限するものとするが、制限されているクライアント端末には画像を送信しないようにしてもよい。
ステップＳ５１６では、議長となるクライアント端末が画像を受信して、画像を表示する。
ステップＳ５１７では、参加者（アップローダ）となるクライアント端末が画像を受信して、画像を表示する。
【００５９】
なお、閲覧許可された参加者の端末では、１３００のファイル表示画像が表示される。また、閲覧禁止された参加者の端末では、１３１０の制限画像が表示される。制限画像の表示については、図６で詳述する。
ステップＳ５１８では、参加者（アップローダ）となるクライアント端末で、ファイル終了指示を受け付けると、サーバ２００にファイル終了通知を送信する。
ステップＳ５１９では、ファイル終了通知を受信すると、サーバ２００は、開いているファイルを閉じる。
【００６０】
ステップＳ５２０では、ファイルが閉じると、図７の７０２を参照し、閲覧制限ユーザ（使用機器が制限されているユーザ）がいるか否かを判定する。閲覧制限ユーザがいる場合には、ステップＳ５２１へ処理を移す。
【００６１】
ステップＳ５２１では、使用機器を制限しているユーザの端末に制限解除命令を送信する。なお、制限解除命令として、すべての使用機器ＯＮとする制御命令を送信してもよい。すなわち、ファイルの表示を終了する場合に、制限した機能を解除する制限処理の一例を示すものである。
【００６２】
次に、図６を参照して、本実施形態における、制限ユーザの制限処理の流れについて説明する。
【００６３】
ステップＳ６０１では、ステップＳ５１２でサーバ２００から送信された制限命令を受信する。
【００６４】
ステップＳ６０２では、制限命令に含まれる制限内容を特定して、各処理を実行する。マイクＯＦＦであれば、ステップＳ６０３へ処理を移す。スピーカーＯＦＦであれば、ステップＳ６０４へ処理を移す。また、アプリ共有ＯＦＦ（閲覧禁止）の場合には、ステップＳ６０５へ処理を移す。
ステップＳ６０３では、制限ユーザのクライアント端末のマイクを、ＯＦＦとする。マイクＯＦＦは、例えば、ミュート設定である。
ステップＳ６０４では、制限ユーザのクライアント端末のスピーカーを、ＯＦＦとする。スピーカーＯＦＦは、例えば、ミュート設定である。
【００６５】
ステップＳ６０５では、クライアント端末に記憶している制限用画像を取得する。なお制限用画像は、サーバ２００から送信されたものを取得してもよいし、クライアント端末にインストールしているウェブ会議用のアプリケーションが予め保持している制限画像を取得してもよい。
【００６６】
ステップＳ６０６では、制限画像をアプリ共有時にファイルの画像が表示される閲覧表示部に表示する。なお、共有画像がサーバ２００から送信されない構成の場合には、閲覧表示部に制限画像を表示しておき、更新はされないものとする。
【００６７】
制限画像を表示した例が、図１３の１３１０である。すなわち、ファイルの画像を表示する領域に制限用の画像を表示して制限する制限処理の一例を示すものである。
【００６８】
ステップＳ６０７では、ステップＳ５１５で、サーバ２００から送信された画像（共有画像）を受信したか否かを判定し、画像を受信した場合に、ステップＳ６０５へ処理を移す。画像を受信した場合に、表示部に表示されることを防ぐため、再度閲覧表示部に制限画像を表示する。
【００６９】
なお、閲覧表示部の箇所を特定して、クライアント端末にインストールしているウェブ会議用のアプリケーション内で、閲覧表示部の上に制限画像を表示する構成であってもよい。
ステップＳ６０８では、ステップＳ５２１でサーバ２００から送信された制限解除命令を受信する。
ステップＳ６０９では、使用機器がＯＦＦになっていた機能をＯＮに変更し、ウェブ会議を継続する。
【００７０】
機密レベルが高い資料がアップロードされ、表示している会議中は、会議室に入室した状態を維持したまま、情報を制限し、表示が終了する場合には、元の状態に戻るため、ウェブ会議を円滑に進めることができる。
【００７１】
以上、本実施形態によれば、会議中に新しく共有された資料の機密レベルに基づき、ユーザに制限をして会議を実行することができる。
【００７２】
特に、会議室からの退室をさせることなく、ウェブ会議を継続することができるため、ウェブ会議を円滑に進めることができる。
すなわち、ウェブ会議での入室を継続させつつも、情報漏えいを防ぐことができ、会議を滞りなく進めることができる。
【００７３】
また、会議に多くのユーザが参加している場合、制限をかけた場合に、どのユーザが制限中かを特定するのが困難であり、議長、アップローダー、参加者が制限中のユーザに話しかけることが発生する。そのため、本実施形態では、制限中のユーザがどのユーザであるかを識別することができるため、会議中の不要なコミュニケーションを防ぐことができ、ウェブ会議を円滑に進めることができる。
【００７４】
尚、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００７５】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００７６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００７９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００８１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００８２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００８３】
尚、前述した実施形態は、本発明を実施するにあたっての具体化の例を示したものに過ぎず、これらによって本発明の技術的範囲が限定的に解釈されてはならないものである。
即ち、本発明はその技術思想、又はその主要な特徴から逸脱することなく、様々な形で実施することができる。
【符号の説明】
【００８４】
１００Ａ  ＰＣ（クライアント端末）
１００Ｂ  ＰＣ（クライアント端末）
１５０    携帯端末（クライアント端末）
２０１  ＣＰＵ
２０３  ＲＡＭ
２１１  外部メモリ
【図１】
2018107645.tif 000003
【図２】
2018107645.tif 000004
【図３】
2018107645.tif 000005
【図４】
2018107645.tif 000006
【図５】
2018107645.tif 000007
【図６】
2018107645.tif 000008
【図７】
2018107645.tif 000009
【図８】
2018107645.tif 000010
【図９】
2018107645.tif 000011
【図１０】
2018107645.tif 000012
【図１１】
2018107645.tif 000013
【図１２】
2018107645.tif 000014
【図１３】
2018107645.tif 000015
【図１４】
2018107645.tif 000016